(57)【要約】【課題】回動片を有するシリンダ錠を内ネジ付の錠箱取付凹部に取り付けできるようにし、回動片付シリンダ錠の汎用性を向上させる。【解決手段】後端面に回動片１３の突出した錠本体を、底面に回動片１３の係合する入力部材が配置された錠箱の内ネジ付取付凹部に螺着するシリンダ錠の取付構造において、錠本体を後端から内方に装着するシリンダ筒と、シリンダ筒の後端から外挿されて回動自在となり前端からの抜けが規制される化粧リング２９と、シリンダ筒の後端から外挿され内ネジに螺合する外ネジ７３を外周に有するとともに化粧リング２９と一体回転するネジ筒３１と、シリンダ筒後端に螺着されてネジ筒３１の抜けを規制するエンドキャップ３３と、錠箱に設けられシリンダ筒の軸線に直交方向で移動される回転規制杆と、ネジ筒３１及びシリンダ筒に形成され回転規制杆の先端が挿入される切欠及び溝とを設けた。【選択図】      図１
2009133149.tif 000002
【特許請求の範囲】
【請求項１】
後端面に回動片の突出した錠本体を、底面に前記回動片の係合する入力部材が配置された錠箱の内ネジ付取付凹部に螺着するシリンダ錠の取付構造であって、
前記錠本体を後端から内方に装着するシリンダ筒と、
該シリンダ筒の後端から外挿されて回動自在となり前端からの抜けが規制される化粧リングと、
前記シリンダ筒の後端から外挿され前記内ネジに螺合する外ネジを外周に有するとともに該化粧リングと一体回転するネジ筒と、
シリンダ筒後端に固着されて該ネジ筒の抜けを規制するエンドキャップと、
錠箱に設けられ前記シリンダ筒の軸線に直交方向で移動される回転規制杆と、
前記ネジ筒及び前記シリンダ筒に形成され該回転規制杆の先端が挿入される切欠及び溝と、
を具備したことを特徴とするシリンダ錠の取付構造。
【請求項２】
前記シリンダ筒が、前端側の大径部と、段部を境とする後端側の小径部で形成され、
前記ネジ筒が、前記段部に当接して前記小径部に外挿されたことを特徴とする請求項１記載のシリンダ錠の取付構造。
【請求項３】
前記シリンダ筒が、同一外径の円筒体で形成され、
該円筒体の前端側にスペーサリングが外挿され、
前記ネジ筒が、該スペーサリングの後端面に当接して前記円筒体の後端側に外挿されたことを特徴とする請求項１記載のシリンダ錠の取付構造。
【請求項４】
前記ネジ筒の前端に半径方向外側に突出する円形フランジ部が形成され、
該フランジ部に半径方向内側に切り欠いた欠切部が設けられ、
該欠切部に、前記化粧リングから突出した係合片が挿入されて該化粧リングと前記ネジ筒が一体回転することを特徴とする請求項１，２，３のいずれか１つに記載のシリンダ錠の取付構造。
【発明の詳細な説明】
【技術分野】
【０００１】
本発明は、後端面に回動片の突出した錠本体を、錠箱の内ネジ付取付凹部に螺着するシリンダ錠の取付構造に関する。
【背景技術】
【０００２】
扉室外面に表出するシリンダ錠と、扉内に内蔵される錠箱からなる施錠装置は、錠箱が取り付けられた後、シリンダ錠が取り付けられる。このようなシリンダ錠の取付構造には、錠箱に設けられた内ネジ付の取付凹部に、シリンダ錠後端部の外周に形成した外ネジを螺着することで、シリンダ錠を錠箱に取り付けるものがある。一般的に、シリンダ錠の後端面には回動片（所謂、テールピース）が突出され、回動片はシリンダ錠に挿入された合鍵の回転に伴って回転される。シリンダ錠は、錠箱に取り付けられた状態で、この回動片が錠箱取付凹部の底面に配置される入力部材（所謂、ダルマ）に係合する。これにより、合鍵の施解錠操作回転が回動片を介して入力部材に伝わり、錠箱内の施解錠機構を作動させる。
【０００３】
ところで、上記したねじ込み式のシリンダ錠では、回動片が後端面から突出されていない。その代わりに鍵穴に挿入された合鍵の先端が後端面から突出され、錠箱取付凹部の入力部材に係合するようになっている。したがって、ねじ込み式シリンダ錠を、錠箱取付凹部の内ネジに螺合する過程では、後端面に回動片が突出していないため、ねじ込み途中で回動片が入力部材に干渉することがなく、最終ねじ込み位置までシリンダ錠をねじ込んで螺着することが可能となった。
【発明の開示】
【発明が解決しようとする課題】
【０００４】
しかしながら、シリンダ錠ねじ込み式の施錠装置において、より防犯性の高いシリンダ錠である、回動片を有するシリンダ錠へ交換したい場合、単にシリンダ錠の後部外周に外ネジを設けるのみでは、シリンダ錠を錠箱取付凹部の内ネジにねじ込む途中で、回動片が入力部材に干渉してしまい、最終ねじ込み位置までシリンダ錠をねじ込めず取付が不可能となった。これに対し、錠箱まで交換すれば、交換作業労力が増大するとともに、部品コストも増大した。このため、内ネジ付の錠箱取付凹部に対し、回動片を有するシリンダ錠を取付可能にするシリンダ錠取付構造の開発要請があった。
【０００５】
本発明は上記状況に鑑みてなされたもので、回動片を有するシリンダ錠を内ネジ付の錠箱取付凹部に取り付けできるシリンダ錠の取付構造を提供し、もって、回動片付シリンダ錠の汎用性向上を図ることを目的とする。
【課題を解決するための手段】
【０００６】
次に、上記の課題を解決するための手段を、実施の形態に対応する図面を参照して説明する。
本発明の請求項１記載のシリンダ錠の取付構造は、後端面１１に回動片１３の突出した錠本体１５を、底面１７に前記回動片１３の係合する入力部材１９が配置された錠箱２１の内ネジ付取付凹部２５に螺着するシリンダ錠の取付構造であって、
前記錠本体１５を後端から内方に装着するシリンダ筒２７と、
該シリンダ筒２７の後端から外挿されて回動自在となり前端からの抜けが規制される化粧リング２９と、
前記シリンダ筒２７の後端から外挿され前記内ネジ２３に螺合する外ネジ７３を外周に有するとともに該化粧リング２９と一体回転するネジ筒３１と、
シリンダ筒後端に固着、例えば螺着されて該ネジ筒３１の抜けを規制するエンドキャップ３３と、
錠箱２１に設けられ前記シリンダ筒２７の軸線に直交方向で移動される回転規制杆３５と、
前記ネジ筒３１及び前記シリンダ筒２７に形成され該回転規制杆３５の先端が挿入される切欠３７及び溝３９と、
を具備したことを特徴とする。
【０００７】
このシリンダ錠の取付構造では、シリンダ筒２７に外挿されたネジ筒３１が化粧リング２９を介して回転されると、錠本体１５は回転せずに、回動片１３が姿勢を保持したまま錠箱２１の入力部材係合位置まで後退される。
【０００８】
請求項２記載のシリンダ錠の取付構造は、前記シリンダ筒２７が、前端側の大径部６１と、段部６３を境とする後端側の小径部６５で形成され、
前記ネジ筒３１が、前記段部６３に当接して前記小径部６５に外挿されたことを特徴とする。
【０００９】
このシリンダ錠の取付構造では、ネジ筒３１の前側への移動が段部６３に当接することによって規制される。
【００１０】
請求項３記載のシリンダ錠の取付構造は、前記シリンダ筒２７Ａが、同一外径の円筒体８９で形成され、
該円筒体８９の前端側にスペーサリング９３が外挿され、
前記ネジ筒３１が、該スペーサリング９３の後端面に当接して前記円筒体８９の後端側に外挿されたことを特徴とする。
【００１１】
このシリンダ錠の取付構造では、ネジ筒３１の前側への移動がスペーサリング９３に当接することによって規制される。
【００１２】
請求項４記載のシリンダ錠の取付構造は、前記ネジ筒３１の前端に半径方向外側に突出する円形フランジ部７５が形成され、
該フランジ部７５に半径方向内側に切り欠いた欠切部７７が設けられ、
該欠切部７７に、前記化粧リング２９から突出した係合片７９が挿入されて該化粧リング２９と前記ネジ筒３１が一体回転することを特徴とする。
【００１３】
このシリンダ錠の取付構造では、化粧リング２９が回転されると、ネジ筒３１が化粧リング２９と同期して回転され、ネジ筒３１が化粧リング２９と係合状態を維持したまま、ねじ込みに伴って後方へ徐々に相対スライドされる。
【発明の効果】
【００１４】
本発明に係る請求項１記載のシリンダ錠の取付構造によれば、錠本体を後端から内方に装着するシリンダ筒と、シリンダ筒の後端から外挿され内ネジに螺合する外ネジを外周に有するとともに化粧リングと一体回転するネジ筒と、シリンダ筒後端に固着されてネジ筒の抜けを規制するエンドキャップと、錠箱に設けられシリンダ筒の軸線に直交方向で移動される回転規制杆と、ネジ筒及びシリンダ筒に形成され回転規制杆の先端が挿入される切欠及び溝とを設けたので、化粧リングを介してシリンダ筒に外挿したネジ筒のみを回転させることで、錠本体を回転させずに、回動片を姿勢保持したまま錠箱の入力部材に係合する位置まで後退させることができる。この結果、回動片を有するシリンダ錠を内ネジ付の錠箱取付凹部に取り付けでき、回動片付シリンダ錠の汎用性を向上させることができる。
【００１５】
請求項２記載のシリンダ錠の取付構造によれば、シリンダ筒が、前端側の大径部と、段部を境とする後端側の小径部で形成され、ネジ筒が、段部に当接して小径部に外挿されたので、ネジ筒の前側への移動が段部に当接することによって規制され、段部の形成位置を所望位置に設定することで、ネジ筒の全長を必要最小限で製作できる。
【００１６】
請求項３記載のシリンダ錠の取付構造によれば、シリンダ筒が、同一外径の円筒体で形成され、円筒体の前端側にスペーサリングが外挿され、ネジ筒が、スペーサリングの後端面に当接して円筒体の後端側に外挿されたので、ネジ筒の前側への移動がスペーサリングに当接することによって規制され、スペーサリングの全長を所望長に設定することで、ネジ筒の全長を必要最小限で製作できる。また、シリンダ筒が段部を有さない簡素な円筒体で形成可能となる。
【００１７】
請求項４記載のシリンダ錠の取付構造によれば、ネジ筒の前端に半径方向外側に突出する円形フランジ部が形成され、フランジ部に半径方向内側に切り欠いた欠切部が設けられ、欠切部に、化粧リングから突出した係合片が挿入されて化粧リングとネジ筒が一体回転するので、化粧リングを回転すれば、ネジ筒が化粧リングと同期して回転し、ネジ筒を、化粧リングと係合維持させたままねじ込みに伴って後方へ徐々に相対スライドさせて取付凹部に螺着できる。
【発明を実施するための最良の形態】
【００１８】
以下、本発明に係るシリンダ錠の取付構造の好適な実施の形態を図面を参照して詳細に説明する。
図１は本発明に係る取付構造を有したシリンダ錠の斜視図、図２は図１に示したシリンダ錠の化粧リングを省略した水平断面図、図３は錠箱内部の側面図である。なお、本実施の形態ではシリンダ錠の鍵穴側を前方、シリンダ錠の回動片側を後方として説明する。
本実施の形態に係るシリンダ錠の取付構造は、後端面１１に回動片としてのテールピース１３の突出した錠本体１５を、底面１７にテールピース１３の係合する入力部材としてのダルマ１９が配置された錠箱２１の、雌ネジ穴である内ネジ２３付の取付凹部２５に螺着することを目的としている。
【００１９】
そのための主要構成として、本取付構造は、シリンダ筒２７と、化粧リング２９と、ネジ筒３１と、エンドキャップ３３と、回転規制杆３５と、切欠３７及び溝３９とを備えている。
【００２０】
錠箱２１は、内蔵した施解錠機構によって、デッドボルト４１を扉の木口から進退させる。進退機構は、錠本体１５のテールピース１３或いはサムターンからダルマ１９に入力される回動操作力によって、デッドボルト４１を進退動作させる。錠本体１５は、扉に彫り込んだ凹部に内蔵され、扉木口を覆うフロント板４３を備える。フロント板４３は、デッドボルト４１を進退させるための穴４５を有している。デッドボルト４１は、この穴４５を通過することで、木口から突出し、錠箱内に後退する。
【００２１】
図４はシリンダ錠外筒の斜視図である。
錠本体１５は、外装部材としての図４に示す外筒４７を有する。外筒４７には内筒４９（図２参照）が回動自在に内設され、内筒４９は両者の間に配設されるロッキングバー５１，５１によって回転が規制・規制解除される。例えば図示しないがディスクタイプのタンブラーを有する錠本体１５は、合鍵を抜きとった状態でロッキングバー５１，５１がスプリングによって外筒４７の溝５３に押しつけられ、この状態で内筒４９を回転させようとしても、ロッキングバー５１，５１の後退する切欠がタンブラーにないため、ロッキングバー５１，５１は溝５３から抜け出ることができず、内筒４９を回転させることができない。
【００２２】
一方、合鍵が差し込まれると、タンブラーは合鍵のきざみによって移動され、切欠がロッキングバー５１，５１に一致して整列する。この状態で内筒４９を回転させると、溝５３とロッキングバー５１，５１のテーパーによって、スプリングに抗してロッキングバー５１，５１が切欠に入り溝５３から抜け出て、内筒４９を回転させる。外筒４７の外周上下には溝５３，５３を形成するための突起５５，５５が外筒４７の軸線方向に沿って形成される。
【００２３】
図５はシリンダ筒の斜視図である。
シリンダ筒２７は、先端に小径穴５７（図２参照）を有し、後端が大径穴５９となることで、錠本体１５を後端から内方に装着する。シリンダ筒２７の内周には突起５５，５５と嵌合する収容溝５６，５６が軸線方向に形成されている。大径穴５９の内周にはエンドキャップ３３の外ネジ３３ａ（図２参照）と螺合する内ネジ２７ａが形成されている。この実施の形態では、シリンダ筒２７が、前端側の大径部６１と、段部６３を境とする後端側の小径部６５で外形が形成されている。ネジ筒３１は、図２に示すように、段部６３に当接して小径部６５に回動自在に外挿される。
【００２４】
ネジ筒３１は、前側への移動が段部６３に当接することによって規制される。これにより、段部６３の形成位置を所望位置に設定することで、ネジ筒３１の全長を必要最小限で製作できるようになっている。
【００２５】
シリンダ筒２７の先端には図２に示す内筒表出穴６７を有した飾り筒６９が被せられて、例えばカシメなど手段で固定される。この飾り筒６９の外周側には先端が平坦な円錐形状の化粧リング２９が、シリンダ筒２７の後端から外挿されて回動自在となる。化粧リング２９は、シリンダ筒前端からの抜けが規制されるとともに、不図示の後端折り曲げ部と、飾り筒６９の後端面との間に配設されたバネ７１の付勢力により、後方に付勢され、扉室外面に押付けられるようになっている。
【００２６】
また、シリンダ筒２７の後部外周には、軸線方向に沿って延在する一対の溝３９，３９が形成される。この溝３９には、ネジ筒３１の切欠３７と共に、錠箱２１の回転規制杆３５の先端が挿入される。
【００２７】
図６はネジ筒の斜視図である。
ネジ筒３１は、シリンダ筒２７の後端から外挿され、内ネジ２７ａに螺合する外ネジ７３を外周に有する。外ネジ７３の後部には一対の切欠３７，３７が形成され、切欠３７は溝３９と共に回転規制杆３５の先端を進入させる。ネジ筒３１の前端に半径方向外側に突出する円形フランジ部７５が形成され、フランジ部７５は段部６３に当接する。フランジ部７５には半径方向内側に切り欠いた欠切部７７が設けられ、欠切部７７は化粧リング２９から突出した係合片７９（図１参照）が挿入される。つまり、シリンダ筒２７は、化粧リング２９と一体回転するようになっている。化粧リング２９を回転すれば、化粧リング２９と同期してネジ筒３１が回転し、ネジ筒３１は、化粧リング２９と係合状態を維持したままねじ込みに伴って後方へ徐々に相対スライドする。したがって、化粧リング２９の後端が扉９５の室外面９５ａに当接していれば、スライド距離だけ化粧リング２９のバネ７１が圧縮されることとなる。
【００２８】
図７はエンドキャップの斜視図である。
エンドキャップ３３は、上記の外ネジ３３ａによってシリンダ筒２７の後端に螺着され固定されて、ネジ筒３１の抜けを規制する。エンドキャップ３３の後端にはフランジ部８１が形成され、フランジ部８１の外径はネジ筒３１の外ネジ７３の外径より小さく設定される。また、エンドキャップ３３は、内径を適宜に形成され、その内側にテールピース１３が位置する。なお、図中、８３はエンドキャップ３３回転用の係止部を示す。
【００２９】
回転規制杆３５は、図３に示すように、錠箱２１に設けられ、シリンダ筒２７の軸線に直交方向で移動される。移動は、フロント板４３に表出するビス頭部８５をプラスドライバ８７などの工具（図１３参照）にて回動することにより行われる。
【００３０】
図８は変形例に係るシリンダ筒の斜視図、図９はスペーサリングの斜視図、図１０は、化粧リングを省略した断面図である。
なお、上記構成では、シリンダ筒２７を大径部６１と小径部６５とにより形成したが、この他、シリンダ筒２７Ａは、図８に示す同一外径の円筒体８９で形成してもよい。このシリンダ筒２７Ａの後端には別体構成の前記エンドキャップ３３に替えてフランジ部９１が形成され、フランジ部９１は前方から外挿されるネジ筒３１の抜けを規制する。ネジ筒３１の外挿された前端側にはさらに図９に示すスペーサリング９３が外挿される。つまり、ネジ筒３１は、スペーサリング９３の後端面９３ａに当接した状態で、円筒体８９の後端側に外挿され、フランジ部９１にて抜けが阻止される。
【００３１】
この変形例では、ネジ筒３１の前側への移動がスペーサリング９３に当接することによって規制される。これにより、スペーサリング９３の全長を所望長に設定することで、ネジ筒３１の全長を必要最小限で製作できる。また、シリンダ筒２７Ａが段部６３を有さない簡素な円筒体８９で形成可能となる。
【００３２】
次に、上記の構成を有する取付構造の作用を説明する。
図１１は錠箱取付工程の取付手順説明図、図１２はシリンダ錠ねじ込み工程の取付手順説明図、図１３は回転規制杆による回転規制工程の取付手順説明図である。
図１１に示すように、扉９５に形成された錠箱収容空間９７に、錠箱２１を木口開口９９から挿入し、フロント板４３をビス１０１，１０１にて木口１０３に固定する。扉９５の室外面９５ａには錠箱２１の取付凹部２５と一致する取付穴１０５を穿設しておく。図１２に示すように、錠本体１５の鍵穴１０７に合鍵１０９を挿入し、合鍵１０９を持った状態でシリンダ筒２７の後端を取付穴１０５へ挿入し、取付凹部２５に一致させる。
【００３３】
次いで、化粧リング２９を回転することで、ネジ筒３１を一体回転する。ネジ筒３１の外ネジ７３が取付凹部２５の内ネジ２３に掛ると化粧リング２９を回すことで、ネジ筒３１は錠箱２１にねじ込まれる。ネジ筒３１はシリンダ筒２７の大径部６１とエンドキャップ３３に挟まれているので錠箱２１にねじ込まれることでエンドキャップ３３を押す。シリンダ筒２７はエンドキャップ３３と結合されているので一緒に押される。裸の錠本体１５はシリンダ筒２７の中にあるのでそのテールピース１３を水平に保ったまま（或いは垂直を保ったまま）錠本体１５のダルマ１９にテールピース１３が掛る位置まで後退する。なお、化粧リング２９の回転時には、錠本体１５に合鍵１０９を挿入されており、この合鍵１０９を把持した状態を維持しているので、化粧リング２９及びネジ筒３１のみの回転が行える。
【００３４】
ネジ筒３１は、化粧リング２９の係合片７９が欠切部７７に掛るので、化粧リング２９と同期して回転し、前後へは自由にスライドする。このため、ネジ筒３１のねじ込み時には、化粧リング２９を回転すれば、ネジ筒３１を介してシリンダ筒２７がねじ込まれて行くこととなる。つまり、錠本体１５は回転せずに、テールピース１３が水平姿勢（垂直姿勢）を保持したままダルマ１９との係合位置まで後退される。ネジ筒３１を十分ねじ込んだら、図１３に示すように、ビス頭部８５をドライバ８７で回す。これにより、錠箱２１の回転規制杆３５をネジ筒３１及びシリンダ筒２７の切欠３７及び溝３９に合わせて突出させ、シリンダ筒２７の回転を止める。シリンダ筒２７の前後の抜け止めは、回転規制杆３５の先端とエンドキャップ３３のフランジ部８１で行われる。
【００３５】
また、変形例に係る構成の取付構造では、シリンダ筒２７Ａの後方がフランジ部９１とされているので、前方から組まれたネジ筒３１は続けて前方から組まれたスペーサリング９３とフランジ部９１の間に挟まれる。ネジ筒３１はスペーサリング９３とフランジ部９１に挟まれているので錠箱２１にねじ込まれることでフランジ部９１を押す。裸の錠本体１５はシリンダ筒２７Ａの中にあるのでそのテールピース１３を水平（又は垂直）に保ったままダルマ１９に掛る位置まで後退する。ネジ筒３１を十分ねじ込んだら錠箱２１の回転規制杆３５をネジ筒３１及びシリンダ筒２７Ａの切欠３７及び溝３９に合わせて突出させ、シリンダ筒２７Ａの回転を止める。シリンダ筒２７Ａの前後の抜け止めは、シリンダ筒２７Ａのフランジ部９１で行われる。
【００３６】
したがって、上記のシリンダ錠の取付構造によれば、錠本体１５を後端から内方に装着するシリンダ筒２７と、シリンダ筒２７の後端から外挿され内ネジ２３に螺合する外ネジ７３を外周に有するとともに化粧リング２９と一体回転するネジ筒３１と、シリンダ筒後端に螺着されてネジ筒３１の抜けを規制するエンドキャップ３３と、錠箱２１に設けられシリンダ筒２７の軸線に直交方向で移動される回転規制杆３５と、ネジ筒３１及びシリンダ筒２７に形成され回転規制杆３５の先端が挿入される切欠３７及び溝３９とを設けたので、化粧リング２９を介してシリンダ筒２７に外挿したネジ筒３１のみを回転させることで、錠本体１５を回転させずに、テールピース１３を姿勢保持したまま錠本体１５のダルマ１９に係合する位置まで後退させることができる。この結果、テールピース１３を有する錠本体１５を内ネジ付の錠箱取付凹部２５に取り付けでき、テールピース付シリンダ錠の汎用性を向上させることができる。
【００３７】
また、ネジ筒３１の前端に半径方向外側に突出する円形フランジ部７５が形成され、フランジ部７５に半径方向内側に切り欠いた欠切部７７が設けられ、欠切部７７に、化粧リング２９から突出した係合片７９が挿入されて化粧リング２９とネジ筒３１が一体回転するので、化粧リング２９を回転すれば、シリンダ筒２７が化粧リング２９と同期して回転し、シリンダ筒２７を、化粧リング２９と係合維持させたままねじ込みに伴って後方へ徐々にスライドさせて取付凹部２５に螺着できる。化粧リング２９は、バネ７１の付勢力に抗して前方へ移動させた状態で回転でき、ねじ込み完了後に、手を離せば、バネ７１の付勢力により扉室外面９５ａに押付けられ、隙間無く取り付けることができる。なお、上記のように、化粧リング２９の後端を扉９５の室外面９５ａに当接して回転すれば、スライド距離だけ化粧リング２９のバネ７１が圧縮されることとなる。
【図面の簡単な説明】
【００３８】
【図１】本発明に係る取付構造を有したシリンダ錠の斜視図である。
【図２】図１に示したシリンダ錠の化粧リングを省略した断面図である。
【図３】錠箱内部の側面図である。
【図４】シリンダ錠外筒の斜視図である。
【図５】シリンダ筒の斜視図である。
【図６】ネジ筒の斜視図である。
【図７】エンドキャップの斜視図である。
【図８】変形例に係るシリンダ筒の斜視図である。
【図９】スペーサリングの斜視図である。
【図１０】変形例の化粧リングを省略した断面図である。
【図１１】錠箱取付工程の取付手順説明図である。
【図１２】シリンダ錠ねじ込み工程の取付手順説明図である。
【図１３】回転規制杆による回転規制工程の取付手順説明図である。
【符号の説明】
【００３９】
１１…後端面
１３…回動片（テールピース）
１５…錠本体
１７…底面
１９…入力部材（ダルマ）
２１…錠箱
２３…内ネジ
２５…取付凹部
２７…シリンダ筒
２９…化粧リング
３１…ネジ筒
３３…エンドキャップ
３５…回転規制杆
３７…切欠
３９…溝
６１…大径部
６３…段部
６５…小径部
７３…外ネジ
７５…円形フランジ部
７７…欠切部
７９…係合片
８９…同一外径の円筒体
９３…スペーサリング
【図１】
2009133149.tif 000003
【図２】
2009133149.tif 000004
【図３】
2009133149.tif 000005
【図４】
2009133149.tif 000006
【図５】
2009133149.tif 000007
【図６】
2009133149.tif 000008
【図７】
2009133149.tif 000009
【図８】
2009133149.tif 000010
【図９】
2009133149.tif 000011
【図１０】
2009133149.tif 000012
【図１１】
2009133149.tif 000013
【図１２】
2009133149.tif 000014
【図１３】
2009133149.tif 000015